(57)【要約】【課題】  生花店等において切花用包装具を構成する各部材を保管するのに広いスペースを必要としない切花用包装具を提供する。【解決手段】  切花用包装具１は吸水性を有するダンボール紙１０が渦巻状に巻かれて形成されている円筒状の切花支持体３と、袋状で切花支持体１を内包し防水性を有する袋体４と、平面紙１８の対向する一組の辺をつき合わされて周回され円筒状に形成され、袋体４が内側に挿入される枠体５と、開口部３１を狭口する結束具２７を備え枠体５が内側に挿入される包装体６と、平面紙３２を折り曲げて形成されるとともに包装体６が嵌挿支持される嵌合溝３３を有する台座７とから構成されている。枠体５の上部に形成されている爪片２５，２５，・・・において包装体６の開口部３１を結束具２７で締めることにより、枠体５の開口部２４が錐状に窄まされ、当該開口部２４により切花２が支持される。【選択図】          図１
2009051565.tif 000002
【特許請求の範囲】
【請求項１】
平面ライナー紙の片面に波状紙が貼り合わされ吸水性を有する略方形のダンボール紙を波状紙の稜線と平行な軸線中心に渦巻状に巻かれて形成される円筒状の切花支持体と、上端が開口する袋状で前記切花支持体を内包し防水性を有する袋体と、略方形の平面紙の対向する一組の辺がつき合わされて周回され、当該一組の辺が接合されて形成され前記袋体が内側に挿入される枠体と、上端に開口部を有し前記開口部を狭口する結束具を備え前記枠体が内側に挿入される包装体と、硬質で折り曲げ可能な平面紙を折り曲げて形成されるとともに前記包装体が嵌挿支持される嵌合溝を有する台座とから形成されていることを特徴とする切花用包装具。
【請求項２】
前記枠体の高さは前記切花支持体の高さより高く、前記切花支持体の上端より高い前記枠体の上部に複数の縦の切割りが設けられていることを特徴とする請求項１に記載の切花用包装具。
【発明の詳細な説明】
【技術分野】
【０００１】
本発明は、切花用包装具に関するものであって、詳しくは、生花店等において、切花の包装に使用されるとともに、そのまま花器としても使用できる切花用包装具に関する。
【背景技術】
【０００２】
この種の切花用包装具として、切花の形を崩さないために切花結束用補助具を備えたものが従来より知られている（例えば特許文献１を参照）。容器本体はプラスチック材料で形成され、円筒状のコップ形状をなしている。容器本体の上端開口縁には、フランジ部が形成されている。また、容器本体の上端開口部に着脱自在に嵌合する蓋部材は短筒形状に形成され、上端開口部にフランジ部を有する。容器本体の上端開口縁フランジ部には蓋部材の上端開口縁フランジ部が係止されている。蓋部材に装着する切花結束用補助具は、弾力性の有るポリエステル、ポリウレタンなどの樹脂素材から形成されている。切花結束用補助具には外周面にＶ字状の溝が連続して素材の厚さ方向に形成され、溝の底から一つおきに中心に向って長さが異なる多数の独立した切込みが、適宜の角度で厚さ方向の全体に形成されている。切込みが形成された溝に切花の茎が挿入され、切込みに沿って中央側に移動させるか、あるいは直接切込みに茎を差込むことによって複数の切花の茎を重ならないようにし、花束の形が崩れないように弾性保持されている。
【０００３】
【特許文献１】実登３０８９５２３号公報
【発明の開示】
【発明が解決しようとする課題】
【０００４】
ところが、このような従来の切花用包装具を構成する各部材は、立体的で嵩張り、生花店のようなお店ではこれら各部材を保管する広いスペースが必要であった。
【０００５】
従って、本発明の課題は、生花店等において切花用包装具を構成する各部材を保管するのに広いスペースを必要としない切花用包装具を提供することにある。
【０００６】
本発明は、上記目的を達成する為に、請求項１に記載の切花用包装具によれば、平面ライナー紙の片面に波状紙が貼り合わされ吸水性を有する略方形のダンボール紙を波状紙の稜線と平行な軸線中心に渦巻状に巻かれて形成される円筒状の切花支持体と、上端が開口する袋状で前記切花支持体を内包し防水性を有する袋体と、略方形の平面紙の対向する一組の辺がつき合わされて周回され、当該一組の辺が接合されて形成され前記袋体が内側に挿入される枠体と、上端に開口部を有し前記開口部を狭口する結束具を備え前記枠体が内側に挿入される包装体と、硬質で折り曲げ可能な平面紙を折り曲げて形成されるとともに前記包装体が嵌挿支持される嵌合溝を有する台座とから形成されていることを特徴とする。
【０００７】
請求項２に記載の切花用包装具によれば、前記枠体の高さは前記切花支持体の高さより高く、前記切花支持体の上端より高い前記枠体の上部に複数の縦の切割りが設けられていることを特徴とする。
【発明の効果】
【０００８】
請求項１に記載の切花用包装具によれば、切花用包装具を構成する各部材の組立前の形状は、それぞれ平たく嵩張らないので、例えば敷地面積の小さな生花店でも省スペースで容易に保管できるのでスペースを有効に活用できる。
【０００９】
また、請求項２に記載の切花用包装具によれば、枠体の上部に設ける複数の切割りによって、複数の爪片が形成され、爪片が幹部から内側に折り曲げられることで、爪片部分において枠体上部の開口部を錐状に窄めることができる。枠体の内側に挿入される切花支持体に切花の茎部分が差し込まれ、内側に折り曲げられる枠体上部の爪片が切花に接触し切花を支持する。また、包装体の開口部を結束具で締め結び合わせることにより、包装体の内側に挿入される枠体の開口部の口の大きさを任意の大きさに調節できる。切花の本数や茎の太さなどによって、枠体の開口部の口の大きさを調節でき、例えば切花の本数が少なくても、包装体の開口部を結束具で締め、枠体の開口部の口の大きさを狭くすれば、錐状に窄められた爪片によって切花が支持され、切花が傾くまたはばらつくのを防ぐことができる。
【発明を実施するための最良の形態】
【００１０】
以下、本発明の実施の形態を図面に基づいて説明する。切花用包装具１は、図１に示されるように、切花支持体３と、袋体４と、枠体５と、包装体６と、台座７とから構成されている。
【００１１】
切花支持体３は、図２に示されるように、略方形のダンボール紙１０で形成されている。また、ダンボール紙１０は吸水性を有する。ダンボール紙１０は、平面ライナー紙８の片面に波状紙９が貼り合わされたものである。張り合わされた平面ライナー紙８と波状紙９との間に複数の第１中孔１２ａ，１２ａ，・・・が形成されている。切花支持体３は、ダンボール紙１０を波状紙９の稜線１１と平行な軸線Ｌを中心に渦巻状に巻いて、図３に示されるように円筒状に形成されている。また、切花支持体３には、渦巻状に巻くことで、波状紙の凹部と、対向する平面紙との間に複数の第２中孔１２ｂ，１２ｂ，・・・が形成されている。前記第１中孔１２ａ，１２ａ，・・・あるいは、第２中孔１２ｂ，１２ｂ，・・・に切花２の茎部分を差し込むことにより、切花２が傾くまたはばらつくのを防ぐことができる。なお、本実施の形態では、波状紙面を内側にして渦巻状に巻いたが、波状紙面を外側にして渦巻状に巻いても同等の効果が得られる。
【００１２】
袋体４は、防水性を有する塩化ビニール材で形成されている。図４に示されるように、袋体４は、上端に開口部１３を有する袋状のものである。前記袋体４の高さは切花支持体３の高さよりも高くされている。
【００１３】
枠体５は、硬質で折り曲げ可能な平面紙１８で形成されている。枠体５は、図５に示されるような略方形の平面紙１８の対向する一組の辺１９，１９がつき合わされて周回され、当該一組の辺１９，１９が一部重ね合わされて接合され、図６に示されるように円筒状に形成されている。枠体５の径は、切花支持体３の径より若干大きく形成されている。また、辺１９，１９をつき合わせた接合部２０は、接着剤で接合されている。
【００１４】
また、枠体５の上部には、図６に示されるように、複数の縦の切割り２２，２２，・・・が設けられることによって複数の爪片２５，２５，・・・が形成されている。また、爪片２５，２５，・・・は、切花支持体３の上端よりも上方に形成されている。爪片２５，２５，・・・の形状は、上方に狭い台形となっている。爪片２５，２５，・・・は、幹部から内側に折り曲げられており、枠体開口部２４は爪片２５，２５，・・・において錐状に窄められている。
【００１５】
包装体６は、図７に示されるように、２枚の略方形の不織布２３，２３が重ねられ、左辺３０ａ，３０ａおよび右辺３０ｂ，３０ｂの上部を除く部分、並びに底辺２８，２８が縫合され袋状に形成されている。不織布２３，２３の上部は一部が外側に折り曲げられて、それぞれ左右に平行に伸びる一対の縫い目２６，２６により中空部２９，２９が形成されている。また、帯状の結束具２７，２７はその両端が中空部２９，２９の左右にそれぞれが突出するように中空部２９，２９に挿通されている。結束具２７，２７は装飾を目的として、一般に公知のリボン等が好適に用いられる。本実施例では、結束具２７，２７は装飾性を目的としてリボンを用いているが、一般に公知の紐材を用いても良い。
【００１６】
台座７は、硬質で折り曲げ可能な平面紙３２で形成されている。略方形の平面紙３２には、図８に示されるように、嵌合溝３３、組立用押し罫３４，３４，・・・、舌片３５，３５、差込口３６，３６が備えられている。台座７は、平面紙３２が組立用押し罫３４，３４，・・・に沿って折られ、舌片３５，３５が差込口３６，３６に差込まれて、図９に示されるように、組み立てられている。嵌合溝３３は、枠体５が内包された状態の包装体６が嵌挿可能な大きさに形成されている。
【００１７】
切花用包装具１を構成する各部材の組み合わせ方について、図１０に基づいて説明する。切花支持体３は袋体４の内側へ挿入される。切花支持体３が挿入された袋体４の内側に切花２を保水するための水が入れられる。袋体４は枠体５の内側へ挿入される。枠体５によって枠体５の内側に挿入される切花支持体３と袋体４の型崩れが防止される。枠体５は包装体６の内側へ挿入される。包装体６は台座７の嵌合溝３３に嵌挿される。切花支持体３の第１中孔１２ａ，１２ａ，・・・または、第２中孔１２ｂ，１２ｂ，・・・に切花２の茎部分が差し込まれる。枠体５の上部に形成されている爪片２５，２５，・・・において、包装体６の開口部３１が結束具２７で狭口されることにより、包装体６の内側へ挿入される枠体５の開口部２４の口の大きさは自由に調節可能である。枠体５の開口部２４が錐状に窄められ、当該開口部２４により切花２が支持される。切花用包装具１を持ち運ぶ際には包装体６が台座７から取り外される。
【００１８】
なお、本発明は本実施の形態に限定されず、発明の趣旨から逸脱しない範囲で適宜変更できる。たとえば、本実施の形態では、枠体５が円筒状に形成されているが、多角柱状に形成されてもよい。また、本実施の形態では、枠体５の接合部２０には接着剤を使用しているが、セロハンテープを使用してもよい。
【図面の簡単な説明】
【００１９】
【図１】本発明の実施例である切花用包装具の一部破断斜視図である。
【図２】同切花用包装具を形成する切花支持体の展開図である。
【図３】同切花用包装具を形成する切花支持体の斜視図である。
【図４】同切花用包装具を形成する袋体の斜視図である。
【図５】同切花用包装具を形成する枠体の展開図である。
【図６】同切花用包装具を形成する枠体の斜視図である。
【図７】同切花用包装具を形成する包装体の斜視図である。
【図８】同切花用包装具を形成する台座の展開図である。
【図９】同切花用包装具を形成する台座の斜視図である。
【図１０】同切花用包装具の組合せ順序を示す斜視図である。
【符号の説明】
【００２０】
１              切花用包装具
３              切花支持体
４              袋体
５              枠体
６              包装体
７              台座
８              平面ライナー紙
９              波状紙
１０            ダンボール紙
１１            稜線
１２ａ          第１中孔
１２ｂ          第２中孔
２０            接合部
２２            切割り
２３            不織布
２５            爪片
２６            縫い目
２７            結束具
２９            中空部
３３            嵌合溝
３４            組立用押し罫
３５            舌辺
３６            差込口
【図１】
2009051565.tif 000003
【図２】
2009051565.tif 000004
【図３】
2009051565.tif 000005
【図４】
2009051565.tif 000006
【図５】
2009051565.tif 000007
【図６】
2009051565.tif 000008
【図７】
2009051565.tif 000009
【図８】
2009051565.tif 000010
【図９】
2009051565.tif 000011
【図１０】
2009051565.tif 000012